(57)【特許請求の範囲】
【請求項１】
データ記録対象の光ディスクのメディアＩＤを読み出すステップと、
記録速度が６倍速以上であり、読み出されたメディアＩＤが波長４００乃至４１０ｎｍの範囲で記録可能な吸収スペクトルを有する有機色素を用いた記録層を備える光ディスクであることを示している場合には、最短マーク長ｎＴを含む全マーク長についてラストパルス幅が０に設定されたキャッスル型の記録パルス波形に含まれるトップパルスにおけるライトパワーＰwに対する、前記キャッスル型の記録パルス波形に含まれる中間パルスにおける中間バイアスパワーＰmの比率であって(n+3)Ｔ以上のマークに該当する再生信号の振幅レベルが最長マークｍＴと同一レベルになるように予め設定されている比率に従って、さらに前記記録パルス波形においてクーリングパルスの印加開始タイミングを規定する記録パラメータdＴcが、前記印加開始タイミングを遅らせる方向を負の方向と定義した場合に０＞マーク長（n+1）ＴにおけるdＴc＞マーク長（n+2）ＴにおけるdＴc≧マーク長（n+3）ＴにおけるdＴcを満たすように予め設定されているとおりに、前記ライトパワーＰw、前記中間バイアスパワーＰm及びマーク長（n+1）Ｔ乃至（n+3）ＴにおけるdＴcを設定するステップと、
を含むデータ記録方法。
【請求項２】
データ記録対象の光ディスクのメディアＩＤを読み出すステップと、
記録速度が６倍速以上であり、読み出されたメディアＩＤが波長４００乃至４１０ｎｍの範囲で記録可能な吸収スペクトルを有する有機色素を用いた記録層を備える光ディスクであることを示している場合には、最短マーク長ｎＴを含む全マーク長についてラストパルス幅が０に設定されたキャッスル型の記録パルス波形に含まれるトップパルスにおけるライトパワーＰwに対する、前記キャッスル型の記録パルス波形に含まれる中間パルスにおける中間バイアスパワーＰmの比率であって(n+3)Ｔ以上のマークに該当する再生信号の振幅レベルが最長マークｍＴと同一レベルになるように予め設定されている比率に従って、さらに前記記録パルス波形においてクーリングパルスの印加開始タイミングを規定する記録パラメータdＴcが、前記印加開始タイミングを遅らせる方向を負の方向と定義した場合に０＞マーク長（n+1）ＴにおけるdＴc＞マーク長（n+2）ＴにおけるdＴc≧マーク長（n+3）ＴにおけるdＴcを満たすように予め設定されているとおりに、前記ライトパワーＰw、前記中間バイアスパワーＰm及びマーク長（n+1）Ｔ乃至（n+3）ＴにおけるdＴcを設定するステップと、
を、プロセッサに実行させるためのプログラム。
【請求項３】
データ記録対象の光ディスクのメディアＩＤを読み出す手段と、
記録速度が６倍速以上であり、読み出されたメディアＩＤが波長４００乃至４１０ｎｍの範囲で記録可能な吸収スペクトルを有する有機色素を用いた記録層を備える光ディスクであることを示している場合には、最短マーク長ｎＴを含む全マーク長についてラストパルス幅が０に設定されたキャッスル型の記録パルス波形に含まれるトップパルスにおけるライトパワーＰwに対する、前記キャッスル型の記録パルス波形に含まれる中間パルスにおける中間バイアスパワーＰmの比率であって(n+3)Ｔ以上のマークに該当する再生信号の振幅レベルが最長マークｍＴと同一レベルになるように予め設定されている比率に従って、さらに前記記録パルス波形においてクーリングパルスの印加開始タイミングを規定する記録パラメータdＴcが、前記印加開始タイミングを遅らせる方向を負の方向と定義した場合に０＞マーク長（n+1）ＴにおけるdＴc＞マーク長（n+2）ＴにおけるdＴc≧マーク長（n+3）ＴにおけるdＴcを満たすように予め設定されているとおりに、前記ライトパワーＰw、前記中間バイアスパワーＰm及びマーク長（n+1）Ｔ乃至（n+3）ＴにおけるdＴcを設定する手段と、
を有する光ディスク記録再生装置。
【請求項４】
記録速度が６倍速以上で記録可能で、読み出されたメディアＩＤが波長４００乃至４１０ｎｍの範囲で記録可能な吸収スペクトルを有する有機色素を用いた記録層を備える光ディスクであって、
最短マーク長ｎＴを含む全マーク長についてラストパルス幅が０に設定されたキャッスル型の記録パルス波形に含まれるトップパルスにおけるライトパワーＰwに対する、前記キャッスル型の記録パルス波形に含まれる中間パルスにおける中間バイアスパワーＰmの比率又は当該比率の逆数であって、(n+3)Ｔ以上のマークに該当する再生信号の振幅レベルが最長マークｍＴと同一レベルになるように予め設定されている比率又は当該比率の逆数が記録されており、
さらに、前記記録パルス波形においてクーリングパルスの印加開始タイミングを規定する記録パラメータdＴcが、前記印加終了タイミングを遅らせる方向を負の方向と定義した場合に０＞マーク長（n+1）ＴにおけるdＴc＞マーク長（n+2）ＴにおけるdＴc≧マーク長（n+3）ＴにおけるdＴcを満たすような、マーク長（n+1）Ｔ乃至（n+3）ＴにおけるdＴcが記録されている、
光ディスク。
【発明の詳細な説明】
【技術分野】
【０００１】
本発明は、光ディスクへの記録技術に関する。
【背景技術】
【０００２】
追記型ブルーレイディスク（ＢＤ−Ｒ）等の高密度記録再生用の光ディスクは、光透過性ディスク状基板の一方の面上に、記録層、反射層、及び必要に応じて保護層を形成した構造を有している。また、記録層や反射層が形成されている基板の一方の面にはグルーブと呼ばれる螺旋状又は同心円状の溝が形成され、隣り合うグルーブの間はランドと呼ばれる凸部形状に形成されている。このような高密度記録再生用の光ディスクでは、光ディスク記録再生装置が記録用のレーザを溝に沿ってトラッキングさせながらグルーブ上の記録層に照射して、長さｎＴ（基準のチャンネルクロック周期をＴとし、整数ｎ倍の長さをｎＴとする）のピット（以下、記録マークという）と、長さがｎＴで当該記録マーク間の部分（以下、スペースという）とを繰り返し形成することにより、データが記録される。また、これらの記録マークやスペースの配列に、光ディスク記録再生装置が再生用のレーザ光を照射して反射光を再生信号に変換することにより、記録したデータが再生される。
【０００３】
また、光ディスクにデータを記録マークやスペースの符号として記録するときに、記録用レーザのパルスは、単一の又は複数の短いパルスを含むパルス列になるように制御される。例えば、長さｎＴの記録マーク符号のうち、長さ２Ｔの記録マークのような短い記録マークの場合は単一のパルスパターンを用いることが多い。一方、長さ４Ｔ以上の記録マークを書き込む場合は複数の短い分割パルスパターンを用いることが多い。このように記録用レーザのパルスを変調波形で出力して、光ディスクの記録面上における熱蓄積や熱拡散の影響を抑制することにより記録精度を更に向上させる。このような記録用レーザの照射条件をライトストラテジ又は単にストラテジと呼ぶ。
【０００４】
従来、標準記録速度（線速度４．９２ｍ／ｓ）の４倍速程度では、キャッスル型の記録パルス（Write Pulse）を用いて記録を行う。図１にキャッスル型の記録パルス波形を模式的に示す。図１（ｃ）において、縦軸は振幅を表し、横軸は時間を表す。そして、この図１（ｃ）において、スペース形成時にはスペース形成に必要な記録パワーであるスペース形成パワーＰsが用いられ、マーク形成時にはライトパワーＰwが用いられ、３Ｔ以上のマークでトップパルス以降の中間パルスには中間バイアスパワーＰmが用いられ、マークの最後のパルスの後の下向きのパルスであるクーリングパルスにはクーリングパルスパワーＰcが用いられる。また、ラストパルスにおいても、ライトパワーＰwが用いられる。なお、再生時のレーザパワーは、リードパワーＰrとして図１（ｃ）にも示されている。
【０００５】
なお、図１（ａ）は、記録データ（２Ｔマーク（Ｐ２Ｔ）及び８Ｔマーク（Ｐ８Ｔ））を表し、図１（ｂ）は、クロック信号波形を表す。また、図２に、実際のキャッスル型の記録パルス波形の一例を示す。図２は、横軸は時間を表し、縦軸はパワーを表している。
【０００６】
キャッスル型の記録パルス波形では、パルス波形の終了部分に中間バイアスパワーＰmよりも高いライトパワーＰwのラストパルスが設けられているが、より高速記録を行う場合にはレーザがラストパルスを出力できない可能性がある。図１に示したような理想的な矩形の記録パルス波形ではなく、実際には、図２に示すように、歪みを有する波形が出力されており、トップパルス長、中間パルス長及びラストパルス長を十分に確保するのが難しいことが分かる。当然、より高速記録の場合にはより波形が歪んでしまう。
【０００７】
また、１つのパルス期間（パワー切り換えポイントから次のパワー切り換えポイントまでの区間）の最低期間は通常２．０ｎｓとされている。しかしながら、４倍速、６倍速及び８倍速で各Ｔがどの程度の時間に相当するのかを表す図３に示すように、２．０ｎｓを確保するには、４倍速では９／１６Ｔ以上必要であり、６倍速では１３／１６Ｔ以上必要であり、８倍速では１７／１６Ｔ以上必要となる。なお、１／１６Ｔは、パルス分解能を表している。このように、適切に再生できるように記録するためにはパルス長を調整する必要があるが、高速記録になると上記の２．０ｎｓの要件を満たす必要があるため、パルス長の調整余地は非常に少なくなっている。
【０００８】
このため、ラストパルス長を規定するＴlp＝０とするようなキャッスル型の記録パルス（以下、Ｌ型の記録パルスと呼ぶことにする）を採用することが考えられている。図４にＬ型の記録パルス波形を模式的に示す。トップパルスは、ライトパワーＰwをＴtopの期間出力することによって形成され、トップパルスの期間は開始タイミングdTtopによって調節される。また、中間パルスは、中間バイアスパワーＰmを、トップパルスの後クーリングパルスパワーＰcで出力されるクーリングパルスまでの期間出力することによって形成され、中間パルスの期間は、終了タイミングdＴcによって調節される。点線で示すように、ラストパルスは存在しない。
【０００９】
実際の記録パルス波形の一例を図５に示す。図５は、横軸は時間を表し、縦軸はパワーを表している。このように図５からはトップパルスを識別することができるが、ラストパルスは存在せず、中間パルスから直ぐに下方向にくぼんだクーリングパルスが出現していることが分かる。ラストパルスを形成しなくても良いので、使用するレーザに過大な応答性能を要求せずとも済む。
【００１０】
なお、このようなＬ型の記録パルスについては、特開２００８−２９３６４４号公報で検討されている。しかしながら、記録パルスは光ディスクの種類や使用材料によっても調節が必要であり、上記公報記載の技術はどのケースにも当てはまるものではない。
【先行技術文献】
【特許文献】
【００１１】
【特許文献１】特開２００８−２９３６４４号公報
【発明の概要】
【発明が解決しようとする課題】
【００１２】
このようにＬ型の記録パルス波形を用いた高速記録を行うケースが増加すると考えられる。しかしながら、図５に示すように、実際のレーザ出力波形は、設定されたストラテジに比べて、立ち上がりや立ち下がりの波形が鈍っている。これは、レーザ出力がストラテジの設定に対して追従し切れないために起こるものと考えられる。ここで、トップパルス終了位置からの中間バイアスパワー照射期間すなわち中間パルスは、短いマークほど短く、長いマークほど長くなる。よって、長いマークの場合は、中間パルスにおけるレーザ出力の立ち下がりの傾きが大きく、短いマークの場合は傾きが小さくなる。このことから、短いマークほど中間パルスにおける出力誤差量が大きくなる。中間パルスにおける出力誤差量が大きいということは、中間パルスにおいて、設定されたストラテジに対して過剰な出力でレーザが照射される傾向にあるといえる。従って、短いマークを形成する場合、後端部の位置制御、中間部の幅制御などが困難となり、エラー及びジッタの増大が引き起こされる。一方、長いマークを形成する場合は、中間パルスにおける出力の変化が比較的小さいため、設定されたストラテジに対して比較的適切な出力量でレーザが照射される傾向にあるといえる。しかしながら、レーザ出力を短いマークに合わせた場合、マークの後端を整形するための熱量が不足するため、マークが適切な形状にならず、エラー及びジッタが増大する恐れがある。
【００１３】
従って、本発明の目的は、Ｌ型の記録パルス波形を採用する場合においても良好な記録品位を確保するための新規な技術を提供することである。
【課題を解決するための手段】
【００１４】
本発明の一態様に係るデータ記録方法は、（Ａ）データ記録対象の光ディスクのメディアＩＤを読み出すステップと、（Ｂ）読み出されたメディアＩＤが波長４００乃至４１０ｎｍの範囲で記録可能な吸収スペクトルを有する有機色素を用いた記録層を備える光ディスクであることを示している場合には、（ｂ１）最短マーク長ｎＴ（例えばｎ＝２）を含む全マーク長についてラストパルス幅が０に設定されたキャッスル型の記録パルス波形（すなわちＬ型の記録パルス波形）に含まれるトップパルスにおけるライトパワーＰwに対する、上記のような特別なキャッスル型の記録パルス波形に含まれる中間パルスにおける中間バイアスパワーＰmの比率であって(n+3)Ｔ以上のマークに該当する再生信号の振幅レベルが最長マークｍＴと同一レベルになるように予め設定されている比率に従って、（ｂ２）さらに記録パルス波形においてクーリングパルスの印加開始タイミングを規定する記録パラメータdＴcが、印加開始タイミングを遅らせる方向を負の方向と定義した場合に０＞マーク長（n+1）ＴにおけるdＴc＞マーク長（n+2）ＴにおけるdＴc≧マーク長（n+3）ＴにおけるdＴcを満たすように予め設定されているとおりに、ライトパワーＰw、中間バイアスパワーＰm及びマーク長（n+1）Ｔ乃至（n+3）ＴにおけるdＴcを設定するステップとを含む。
【００１５】
比率Ｐm／Ｐwは、全てのマークについて１つの値しか設定できない場合がほとんどであり、さらに（n+3）Ｔ以上の記録パラメータdＴcの設定も１つの値しか設定できない場合がほとんどである。このような状況においては、まず（ｂ１）のような設定を行うことによって（n+3）Ｔ以上のマークの記録を安定的に調整しておくことが重要である。その上で、（n+2）Ｔ以下のマークについて、（ｂ２）のような設定を行うことによって、トップパルス長の調整があまりできないことが原因で熱量過多にならないように調整できるようになる。よって、記録品位が確保される。
【００１６】
また、本発明の他の態様に係る光ディスク記録再生装置は、データ記録対象の光ディスクのメディアＩＤを読み出す手段と、読み出されたメディアＩＤが波長４００乃至４１０ｎｍの範囲で記録可能な吸収スペクトルを有する有機色素を用いた記録層を備える光ディスクであることを示している場合には、最短マーク長ｎＴを含む全マーク長についてラストパルス幅が０に設定されたキャッスル型の記録パルス波形に含まれるトップパルスにおけるライトパワーＰwに対する、上記キャッスル型の記録パルス波形に含まれる中間パルスにおける中間バイアスパワーＰmの比率であって(n+3)Ｔ以上のマークに該当する再生信号の振幅レベルが最長マークｍＴと同一レベルになるように予め設定されている比率に従って、さらに記録パルス波形においてクーリングパルスの印加開始タイミングを規定する記録パラメータdＴcが、印加開始タイミングを遅らせる方向を負の方向と定義した場合に０＞マーク長（n+1）ＴにおけるdＴc＞マーク長（n+2）ＴにおけるdＴc≧マーク長（n+3）ＴにおけるdＴcを満たすように予め設定されているとおりに、ライトパワーＰw、中間バイアスパワーＰm及びマーク長（n+1）Ｔ乃至（n+3）ＴにおけるdＴcを設定する手段とを有する。
【００１７】
さらに、本発明のさらに他の態様に係る光ディスクは、読み出されたメディアＩＤが波長４００乃至４１０ｎｍの範囲で記録可能な吸収スペクトルを有する有機色素を用いた記録層を備える光ディスクであって、最短マーク長ｎＴを含む全マーク長についてラストパルス幅が０に設定されたキャッスル型の記録パルス波形に含まれるトップパルスにおけるライトパワーＰwに対する、上記キャッスル型の記録パルス波形に含まれる中間パルスにおける中間バイアスパワーＰmの比率又は当該比率の逆数であって、(n+3)Ｔ以上のマークに該当する再生信号の振幅レベルが最長マークｍＴと同一レベルになるように予め設定されている比率又は当該比率の逆数が記録されており、さらに上記記録パルス波形においてクーリングパルスの印加開始タイミングを規定する記録パラメータdＴcが、印加開始タイミングを遅らせる方向を負の方向と定義した場合に０＞マーク長（n+1）ＴにおけるdＴc＞マーク長（n+2）ＴにおけるdＴc≧マーク長（n+3）ＴにおけるdＴcを満たすような、マーク長（n+1）Ｔ乃至（n+3）ＴにおけるdＴcが記録されているものである。
【００１８】
このような設定データが記録された光ディスクであれば、光ディスク記録再生装置内のメモリに設定データが存在しない場合にも、適切にデータ記録を行うことができる。
【００１９】
本発明のデータ記録方法をプロセッサに実行させるためのプログラムを作成することができ、当該プログラムは、例えばフレキシブル・ディスク、ＣＤ−ＲＯＭなどの光ディスク、光磁気ディスク、半導体メモリ、ハードディスク等の記憶媒体又は記憶装置若しくはプロセッサの不揮発性メモリに格納される。なお、処理途中のデータについては、プロセッサのメモリ等の記憶装置に一時保管される。
【発明の効果】
【００２０】
本発明によれば、Ｌ型の記録パルス波形を採用する場合においても良好な記録品位を確保することができる。
【図面の簡単な説明】
【００２１】
【図１】図１（ａ）乃至（ｃ）は、キャッスル形記録パルス波形を説明するための図である。
【図２】図２は、キャッスル形記録パルス波形の実際の波形を表す図である。
【図３】図３は、各記録速度におけるマーク長と時間の関係を示す図である。
【図４】図４は、Ｌ型記録パルス波形を模式的に示した図である。
【図５】図５は、Ｌ型記録パルス波形の実際の波形を表す図である。
【図６】図６は、有機ＢＤ−Ｒの断面の一例を示す図である。
【図７】図７は、有機ＢＤ−Ｒの断面の一例を示す図である。
【図８】図８は、実施の形態における理論を説明するための図である。
【図９】図９は、本実施の形態におけるdＴcの設定を説明するための図である。
【図１０】図１０（ａ）乃至（ｄ）は、記録条件の一例を示す図である。
【図１１】図１１は、上記記録条件で記録した場合の再生信号の振幅レベルを示す図である。
【図１２】図１２は、最適ライトパワーに対する設定ライトパワーの比率とＳＥＲの関係を示す図である。
【図１３】図１３は、本発明の実施の形態における機能ブロック図である。
【図１４】図１４は、本発明の実施の形態における処理フローを示す図である。
【図１５】図１５は、光ディスク上のデータ構造を示す図である。
【発明を実施するための形態】
【００２２】
［実施の形態で用いられる光ディスク］
図６に本実施の形態で用いられる光ディスクの断面図を示す。本実施の形態に係る光ディスクは、例えば記録層に有機色素を使用した追記型有機ブルーレイディスク（以下「有機ＢＤ−Ｒ」と呼ぶ。）である。有機ＢＤ−Ｒ１０１１は、円盤状の基板１００２のグルーブ１００７が形成された側の面に反射層１００３、記録層１００４、保護層１００５、カバー層１００６が順次形成されている。もしくは図７に示すように、保護層１００５のレーザ光照射面側に接着層１００６ａを介してカバー層１００６ｂが貼り付けられている。このような有機ＢＤ−Ｒ１０１１において、基板１００２にスパイラル状に形成されたグルーブ１００７と他のグルーブ１００７との間に形成されている部分が、ランド１００８である。
【００２３】
レーザ光照射面側から見てグルーブ１００７上の記録層１００４に向けてレーザ光を照射することにより記録が行われる。ランド１００８に沿ってグルーブ１００７に記録が行われた有機ＤＢ−Ｒ１０１１の再生は、ランド１００８に沿ってグルーブ１００７にレーザ光を照射し、その反射光を読み取って記録信号を再生することにより行われる。なお、データ記録用のレーザ光が照射されていない部分の反射率は低く（Low）、データ記録用のレーザ光が照射された部分の反射率は高く（High）なるので、本有機ＢＤ−Ｒ１０１１はLow-to-High（ＬｔＨ）型の光ディスクである。但し、逆のHigh-to-Low（ＨｔＬ）型の光ディスクであってもよい。
【００２４】
本実施の形態においては、短波長レーザを用いてデータ記録を行う。この短波長レーザの波長は４０５ｎｍでもよいがさらに広い範囲の４０５ｎｍ前後、例えば、４００乃至４１０ｎｍでもよい。
【００２５】
さらに、有機ＢＤ−Ｒ１０１１の記録層１００４には、上記のような短波長レーザに反応する例えば以下に示すような有機色素を用いることができる。
【化１】
0005555583.tif 000002
【００２６】
なお、Ｍは周期表７Ａ族、８族、１Ｂ族、２Ｂ族から選ばれる２価の金属であり、特にニッケル、コバルト、銅、亜鉛、マンガン、鉄が好ましい。Ａは含窒素複素芳香環を形成し、Ｂは飽和または不飽和の５員環（５角形）乃至７員環（７角形）の炭化水素環もしくは複素環の縮合環を有する構造を形成する。
【００２７】
［実施の形態の理論］
本実施の形態では、ＢＤ（Blu-Ray Disc）規格に基づいて、最短マークを２Ｔ、最長マークを８Ｔとして説明する。
【００２８】
Ｌ型の記録パルス波形では、キャッスル型の記録パルス波形と比較して、ラストパルス長Ｔlp＝０であるから、中間パルスにおける過剰なレーザパワーの影響が大きく、各マークに該当する再生信号の振幅レベル及び後端エッジ位置のばらつきが発生し易くなる。しかしながら、５Ｔ（最短マークをｎ＝２Ｔとすると（ｎ＋３）Ｔ。）以上の比較的長いマークにおいては、中間パルスにおけるレーザ出力が比較的安定するので、後端エッジ位置のばらつきの低減がしやすい。従って、５Ｔ乃至８Ｔのマークの中間パルスにおけるレーザ出力がほぼ一定レベルに収束し、再生信号の振幅レベルが同等（同一レベル及び微小なずれがある場合を含む）になるように比率Ｐm／Ｐwを調整することが重要である。これによってさらなる調整はクーリングパルスの開始タイミングを規定する記録パラメータdＴcで行うことができる。
【００２９】
図８に上で述べた事項を模式的に図示する。図８に示すように、Ｌ型の記録パルス波形では、２Ｔマークの場合にはトップパルスだけであるが、３Ｔ乃至８Ｔマークの場合には、点線で示すように中間バイアスパワーＰmが印加される期間が設けられる。この中間バイアスパワーＰmは、比率Ｐm／Ｐwで設定される。図８で、太線でレーザ出力の挙動を模式的に表している。図８に示すように、５Ｔ乃至８Ｔマークについては、上で述べたように比率Ｐm／Ｐwを、予め実験的に調整してレーザ出力がほぼ一定レベルに収束するように、そして再生信号の振幅レベルが同等になるように調整しておく。
【００３０】
さらに、背景技術の欄で述べたように、レーザ出力波形の鈍りの影響に加えて、トップパルス長を２．０ｎｓ以上に設定しなければならないという記録パラメータＴtop（トップパルスの立ち上がりタイミングを規定するdTtopで調整）の調整自由度の狭まりという問題から、短いマークほど中間パルスにおけるレーザ出力が過剰となる可能性が高い。従って、３Ｔ及び４Ｔマークについて記録パラメータdＴcを、調整することによって過剰なレーザ出力による影響を低減する。
【００３１】
この時記録パラメータdＴcは、５Ｔ乃至８Ｔマークに該当する再生信号の振幅レベルが同等になるように上記の比率Ｐm／Ｐwによる調整を補助するとともに、４Ｔマーク及び３Ｔマークについては、dＴcを早めて、過剰なレーザ出力で照射される時間を短くするように制御を行う。従って、中間パルスの立ち下がりタイミング又はクーリングパルスの開始タイミングを遅らせる方向を負の方向と定義した場合に０＞３ＴマークにおけるdＴc（dＴc[3T]と表す）＞４ＴマークにおけるdＴc（dＴc[4T]と表す）≧５ＴマークにおけるdＴc（dＴc[5T]と表す）を満たすように設定しておく。このような設定を行った上でデータ記録を行えば、レーザ出力がトップパルス終了位置で鈍る影響を相殺するように作用して、良好な記録特性を得ることができる。なお、中間パルスの立ち下がりタイミング又はクーリングパルスの開始タイミングを遅らせる方向を正の方向と定義した場合には、０＜dＴc[3T]＜dＴc[4T]≦dＴc[5T]と表される。
【００３２】
このような記録パラメータdＴcの設定について図９に示す。図９に示すように、記録パラメータdＴcは、ＮＴマークの１Ｔ手前、すなわち（Ｎ−１）Ｔからの時間で規定され、２Ｔについては設定されない。図９に示すように、上で述べたような条件を満たすということは、３ＴについてのdＴc[3T]を表す矢印Ａの長さ、４ＴについてのdＴc[4T]を表す矢印Ｂの長さ、５ＴについてのdＴc[5T]を表す矢印Ｃの長さは、０＜dＴc[3T]＜dＴc[4T]≦dＴc[5T]に従ってＡ＜Ｂ＜Ｃとなっていることが分かる。
【００３３】
例えば、図１０（ａ）乃至（ｄ）に示したような条件でデータ記録を行って、記録品位について検証した。図１０（ｂ）に示すように、記録パラメータdＴcの設定は、上で述べた条件を満たしている。また、図１０（ｃ）に示すように、Ｔlpを０に設定しており、Ｌ型の記録パルス波形でることが分かる。さらに、図１０（ｄ）に示すように、比率Ｐm／Ｐwが設定されているが、これは上で述べたようにして予め設定されているものである。図１０（ａ）に示す設定は、通常行われるものである。
【００３４】
このような設定で、符号（２Ｔ乃至８Ｔ）毎に、マーク及びスペースの振幅レベルの測定結果の一例を図１１に示す。但し、図１１はマーク形成箇所からの戻り光強度がスペース部からの戻り光よりも高くなる媒体条件（Low-to-High）を用いたものであり、マーク形成箇所からの戻り光強度がスペース部からの戻り光よりも低くなる媒体条件（High-to-Low）を用いた場合は、振幅レベルの大小関係が逆の結果となる。
【００３５】
図１１から、マーク５Ｔ以上に該当する再生信号の振幅レベルが、マーク８Ｔを基準に同等量となっている。また、マーク４Ｔに該当する再生信号の振幅レベルがマーク８Ｔに該当する再生信号の振幅レベルより低くなっている。マーク３Ｔに該当する再生信号の振幅レベルもマーク８Ｔに該当する再生信号の振幅レベルより低くなっている。但し、High-to-Lowタイプの光ディスクを用いた場合には、マークとスペースが反転し、図１１におけるスペースがマークに該当することになるため、スペース４Ｔに該当する再生信号の振幅レベルがスペース８Ｔに該当する再生信号の振幅レベルより低くなっている。スペース３Ｔに該当する再生信号の振幅レベルもスペース８Ｔに該当する再生信号の振幅レベルより低くなっている。
【００３６】
さらに、図１２に、最適ライトパワーＰwに対する設定ライトパワーの比率とＳＥＲ（Soft Error Rate）との関係を表す。黒塗り菱形は有機色素を用いた光ディスクをキャッスル型の記録パルス波形でデータ記録を行った場合の結果を表し、白抜き三角形は有機色素を用いた光ディスクを図１０（ａ）乃至（ｃ）に示した設定に従ったＬ型の記録パルス波形でデータ記録を行った場合の結果を表す。このように、明らかにＬ型の記録パルス波形でデータ記録を行った場合に、全体的にＳＥＲが低くなっており、良好な記録特性が得られている。
【００３７】
［実施の形態］
本発明の実施の形態におけるドライブ・システムの機能ブロック図を図１３を用いて説明する。本発明の実施の形態に係るドライブ・システムは、光ディスク記録再生装置１００と、テレビ受像器などの表示部とリモートコントローラなどの操作部とを含む入出力システム（図示せず）とを含む。
【００３８】
光ディスク記録再生装置１００は、（Ａ）処理途中のデータ、処理結果のデータ、処理における参照データなどを格納するメモリ１２７と、（Ｂ）以下で説明する処理を行わせるためのプログラムが記録されるメモリ回路１２６を含むＣＰＵ（中央演算装置：Central Processing Unit。プロセッサとも呼ぶ。）などを有する制御回路１２５と、（Ｃ）入出力システムとのインターフェースであるインターフェース部（Ｉ／Ｆ）１２８と、（Ｄ）再生信号であるＲＦ信号の最大振幅レベル又は最小振幅レベル等を検出する特性値検出部１２４と、（Ｅ）符号間干渉が残る不完全な周波数レスポンスに対して、ｎＴマークの長さ方向の中央位置の振幅レベルがピーク値となり、中央位置から離れるに従って隣接のｎＴスペースの影響を受ける振幅レベルの値を、例えば０乃至６の７レベルの比率に等化させる等化器１３１と、（Ｆ）等化器１３１で波形等化された再生ＲＦ信号から最も確からしい標準符号系列に復号するデータ復調回路１２３と、（Ｇ）ピックアップ部１１０と、（Ｈ）制御回路１２５から出力される記録すべきデータに対して所定の変調を行い、レーザ・ダイオード（ＬＤ）ドライバ１２１に出力するデータ変調回路１２９と、（Ｉ）ＬＤドライバ１２１と、（Ｊ）光ディスク１５０の回転制御部及びモータ並びにピックアップ部１１０用のサーボ制御回路１３２等を含む。なお、光ディスク記録再生装置１００は、図示しないが、表示装置やパーソナルコンピュータに接続され、場合によってはネットワークに接続して１又は複数のコンピュータなどと通信を行う場合もある。
【００３９】
また、ピックアップ部１１０は、対物レンズ１１４と、ビームスプリッタ１１６と、検出レンズ１１５と、コリメートレンズ１１３と、ＬＤ１１１と、フォトディテクタ（ＰＤ）１１２とを含む。ピックアップ部１１０では、サーボ制御回路１３２の制御に応じて図示しないアクチュエータが動作し、フォーカス及びトラッキングが行われる。
【００４０】
制御回路１２５は、メモリ１２７、特性値検出部１２４、Ｉ／Ｆ１２８、ＬＤドライバ１２１、データ復調回路１２３、データ変調回路１２９、サーボ制御回路１３２、図示しない回転制御部などに接続されている。また、特性値検出部１２４は、ＰＤ１１２、制御回路１２５などに接続されている。ＬＤドライバ１２１は、データ変調回路１２９、制御回路１２５及びＬＤ１１１に接続されている。制御回路１２５は、Ｉ／Ｆ１２８を介して入出力システムにも接続されている。
【００４１】
次に、光ディスク１５０に対してデータを記録する場合における処理の概要を説明する。まず、制御回路１２５は、データ変調回路１２９に、光ディスク１５０に記録すべきデータに対して所定の変調処理を実施させ、データ変調回路１２９は変調処理後のデータをＬＤドライバ１２１に出力する。ＬＤドライバ１２１は、指定の記録条件（ストラテジデータ等）に従って、受信したデータでＬＤ１１１を駆動してレーザ光を出力させる。レーザ光は、コリメートレンズ１１３、ビームスプリッタ１１６、対物レンズ１１４を介して光ディスク１５０に照射され、光ディスク１５０にマークとスペースを形成する。
【００４２】
また、光ディスク１５０に記録されたデータを再生する場合における処理の概要を説明する。制御回路１２５からの指示に従ってＬＤドライバ１２１は、ＬＤ１１１を駆動してレーザ光を出力させる。レーザ光は、コリメートレンズ１１３、ビームスプリッタ１１６、対物レンズ１１４を介して光ディスク１５０に照射される。光ディスク１５０からの反射光は、対物レンズ１１４、ビームスプリッタ１１６、検出レンズ１１５を介してＰＤ１１２に入力される。ＰＤ１１２は、光ディスク１５０からの反射光を電気信号に変換し、特性値検出部１２４等に出力する。等化器１３１及びデータ復調回路１２３等は、出力された再生信号に対して所定の復号処理を行い、復号されたデータを制御回路１２５及びＩ／Ｆ１２８を介して、入出力システムの表示部に出力して、再生データを表示させる。特性値検出部１２４は、通常の再生では用いられない。
【００４３】
次に、光ディスク記録再生装置１００のデータ記録動作の詳細について図１４を用いて説明する。まず、制御回路１２５は、光ディスク１５０に記録されているメディアＩＤをＰＤ１１２、等化器１３１及びデータ復調回路１２３を介して再生することによって読み出す（ステップＳ１）。また、制御回路１２５は、例えばＩ／Ｆ１２８を介してユーザによって設定された記録速度のデータを取得する（ステップＳ３）。そして、制御回路１２５は、取得された記録速度及び読み出されたメディアＩＤに対応するストラテジデータを、メモリ１２７等から読み出し、ＬＤドライバ１２１に設定する（ステップＳ５）。
【００４４】
メモリ１２７ではなく、光ディスク１５０に記録されている場合には、ストラテジデータを光ディスク１５０から読み出す。記録速度が６倍速以上（６倍速未満の場合もある）である場合であって且つ波長４００乃至４１０ｎｍの範囲で記録可能な吸収スペクトルを有する有機色素を用いた記録層を有する光ディスクについてのメディアＩＤが読み出された場合には、本ステップでは、ライトパワーＰwの初期値と、本実施の形態の理論の欄で述べたような条件に従ってメモリ１２７又は光ディスク１５０に記録されている、Ｐwに対するＰm比率及び記録パラメータdＴcを用いて、ライトパワーＰwの初期値から決定される中間バイアスパワーＰm及び記録パラメータdＴcが、ＬＤドライバ１２１に設定される。なお、例えばメモリ１２７等に該当メディアＩＤが登録されており、読み出したメディアＩＤと登録メディアＩＤとを照合して一致する場合には、記録速度が該当するか判断する。
【００４５】
そして、制御回路１２５等は、ライトパワーＰwを最適化する周知の処理を実施する（ステップＳ７）。なお、この際特性値検出部１２４は、アシンメトリ値又はβ値を算出するための特性値を検出し、制御回路１２５に出力する。制御回路１２５では、アシンメトリ値又はβ値を算出して、最適なライトパワーＰwを算出する。本ステップで利用可能な最適化手法は多数存在しており、何れの方法を用いても良い。
【００４６】
その後、制御回路１２５は、ステップＳ７で算出された最適化されたライトパワーＰwと、本実施の形態の理論の欄で述べたような条件に従ってメモリ１２７又は光ディスク１５０に記録されている、Ｐwに対するＰm比率を用いて、最適ライトパワーＰwに対する中間バイアスパワーＰmの最適値を算出した上でＬＤドライバ１２１に設定し、データ記録を実施する（ステップＳ９）。記録パラメータdＴcについては、ステップＳ５で設定したものと同じ値が用いられる。
【００４７】
このような処理を実施することによって、実施の形態の理論の欄で述べたような効果を得ることができる。さらにＷＯＰＣ（Walking Optimum Power Control）やＲＯＰＣ（Running OPC）等においてもライトパワーＰwの制御を適切に行うことができ、この最適化されたライトパワーＰwに対する中間バイアスパワーＰmも設定されるようになる。
【００４８】
なお、実施の形態の理論の欄で述べたような条件を満たすストラテジデータは、メモリ１２７に格納される場合もあれば、光ディスク１５０に格納される場合もある。光ディスク１５０に保持させる場合には、図１５に示すようなＬｅａｄ−ｉｎ領域の中に保持しておく。Ｌｅａｄ−ｉｎ領域には、ＰＩＣ（Permanent Information & Control Data）領域１７０、ＩＮＦＯ領域、ＯＰＣ領域が含まれる。例えば、ＰＩＣ１７０に、実施の形態の理論の欄で述べたような条件そのものや条件を満たす、Ｐwに対するＰm比率、Ｐs比率、Ｐc比率などを保持しておく。なお、ＢＣＡ、ＤＡＴＡ領域、Ｌｅａｄ−ｏｕｔ領域は従来と同じである。
【００４９】
以上本発明の実施の形態を説明したが、本発明はこれに限定されるものではない。例えば、図１３の機能ブロック図は、実施の形態を説明するために示したもので、必ずしも実際の回路やモジュール構成と一致しない場合もある。また、処理フローについても処理結果が同じであれば処理順番を入れ替えたり、並列に実行するようにしても良い。
【符号の説明】
【００５０】
１００  光ディスク記録再生装置
１１０  ピックアップ部    １１１  ＬＤ  
１１２  ＰＤ    １１３  コリメートレンズ
１１４  対物レンズ    １１５  検出レンズ
１１６  ビームスプリッタ    １２１  ＬＤドライバ
１２３  データ復調回路    １２４  特性値検出部
１２５  制御回路    １２６  メモリ回路
１２７  メモリ    １２８  Ｉ／Ｆ    １２９  データ変調回路
１３１  等化器    １３２  サーボ制御回路
１５０  光ディスク
【図１】
0005555583.tif 000003
【図２】
0005555583.tif 000004
【図３】
0005555583.tif 000005
【図４】
0005555583.tif 000006
【図５】
0005555583.tif 000007
【図６】
0005555583.tif 000008
【図７】
0005555583.tif 000009
【図８】
0005555583.tif 000010
【図９】
0005555583.tif 000011
【図１０】
0005555583.tif 000012
【図１１】
0005555583.tif 000013
【図１２】
0005555583.tif 000014
【図１３】
0005555583.tif 000015
【図１４】
0005555583.tif 000016
【図１５】
0005555583.tif 000017